(57)【要約】【課題】静電霧化した液滴を効率的に生成することが可能なヘアドライヤーを提供することである。【解決手段】本発明の一態様にかかるヘアドライヤー１００は、吸入口から吹出口へ向かう空気流を生成するファン１２３と、結露している結露水を静電霧化して液滴を生成する霧化装置１３０と、保持する美容成分を空気流に含まれる液滴を媒体として空気流に放出する美容成分保持部材１４０と、霧化装置１３０が液滴を生成するモードと生成しないモードとを切り替える切替部１１５と、空気中の水分を吸収する吸水手段１５０と、吸水手段１５０を加熱する加熱手段１３５と、を備える。加熱手段１３５は、霧化装置１３０が液滴を生成するモードである場合、吸水手段１５０を加熱して、吸水手段１５０に保持されている水分を空気中に放出させる。【選択図】図３
2019111157.tif 000002
【特許請求の範囲】
【請求項１】
吸入口から吹出口へ向かう空気流を生成するファンと、
結露面を冷却して空気中に含まれる水分を結露させる結露部と、前記結露面を接地電極として放電を発生させることで、前記結露面において結露している結露水を静電霧化して液滴を生成し、生成された前記液滴を前記空気流に付与する放電電極と、を有する霧化装置と、
保持する美容成分を前記空気流に含まれる前記液滴を媒体として前記空気流に放出する美容成分保持部材と、
前記霧化装置が前記液滴を生成するモードと生成しないモードとを切り替える切替部と、
空気中の水分を吸収する吸水手段と、
前記吸水手段を加熱する加熱手段と、を備え、
前記加熱手段は、前記霧化装置が前記液滴を生成するモードである場合、前記吸水手段を加熱して、前記吸水手段に保持されている水分を前記空気中に放出させる、
ヘアドライヤー。
【請求項２】
前記結露面および前記吸水手段は、一つの囲まれた空間に配置されている、請求項１に記載のヘアドライヤー。
【請求項３】
前記結露部はペルチェ素子を用いて構成されており、
前記結露面は前記ペルチェ素子の吸熱面に設けられており、
前記吸水手段は前記ペルチェ素子の発熱面側に設けられた放熱手段に設けられており、
前記霧化装置が前記液滴を生成するモードである場合、前記放熱手段が前記加熱手段として機能する、
請求項１または２に記載のヘアドライヤー。
【請求項４】
前記放熱手段は、前記ペルチェ素子の発熱面から前記空気流の上流側に向かって伸びるように設けられており、
前記吸水手段は、前記ペルチェ素子に対して前記空気流の上流側に設けられている、
請求項３に記載のヘアドライヤー。
【請求項５】
前記吸水手段は、前記放熱手段の前記ペルチェ素子側の面に設けられている、請求項４に記載のヘアドライヤー。
【請求項６】
前記加熱手段はヒータを用いて構成されており、
前記ヒータは、前記吸水手段を加熱して、前記吸水手段に保持されている水分を前記空気中に放出させる、請求項１に記載のヘアドライヤー。
【請求項７】
前記吸水手段は、前記結露面に対して前記空気流の上流側に設けられている、請求項６に記載のヘアドライヤー。
【請求項８】
前記吸水手段は乾燥剤を用いて構成されている、請求項１〜７のいずれか一項に記載のヘアドライヤー。
【請求項９】
前記乾燥剤が、シリカゲル、シリカアルミナゲル、ゼオライト、塩化カルシウム、酸化カルシウム、塩化マグネシウム及び酸化マグネシウムからなる群より選ばれる１種又は２種以上である、請求項８に記載のヘアドライヤー。
【請求項１０】
前記吸水手段は多孔質ハニカム構造体を用いて構成されている、請求項１〜７のいずれか一項に記載のヘアドライヤー。
【請求項１１】
前記吸水手段は多孔質セラミックスを用いて構成されている、請求項１〜７のいずれか一項に記載のヘアドライヤー。
【発明の詳細な説明】
【技術分野】
【０００１】
本発明はヘアドライヤーに関し、特に結露水を静電霧化して液滴を生成する霧化装置を備えたヘアドライヤーに関する。
【背景技術】
【０００２】
近年、霧化装置を備えたヘアドライヤーが広く用いられている。特許文献１には、使用者に水補給の手間を強いることなく、高効率で水を供給しながら継続的に使用することが可能な静電霧化装置に関する技術が開示されている。特許文献１に開示されている技術では、水供給部が備える吸熱面において空気中の水分を結露させて結露水を生成している。そして、生成した結露水を自重により滑り落として水搬送部に導くことで、静電霧化装置に効率よく水を供給している。
【先行技術文献】
【特許文献】
【０００３】
【特許文献１】特開２００７−１８１８３５号公報
【発明の概要】
【発明が解決しようとする課題】
【０００４】
特許文献１に開示されている技術では、吸熱面において空気中の水分を結露させることで結露水を生成している。しかしながら、空気中の水分が少ない場合には、十分な量の結露水を得ることができないため、霧化装置を用いて静電霧化した液滴を十分に生成することができないという問題がある。
【０００５】
本発明はこのような問題を解決するためになされたものであり、静電霧化した液滴を効率的に生成することが可能なヘアドライヤーを提供するものである。
【課題を解決するための手段】
【０００６】
本発明の一態様にかかるヘアドライヤーは、吸入口から吹出口へ向かう空気流を生成するファンと、結露面を冷却して空気中に含まれる水分を結露させる結露部と、結露面を接地電極として放電を発生させることで、結露面において結露している結露水を静電霧化して液滴を生成し、生成された液滴を空気流に付与する放電電極と、を有する霧化装置と、保持する美容成分を空気流に含まれる液滴を媒体として空気流に放出する美容成分保持部材と、霧化装置が液滴を生成するモードと生成しないモードとを切り替える切替部と、空気中の水分を吸収する吸水手段と、吸水手段を加熱する加熱手段と、を備える。加熱手段は、霧化装置が液滴を生成するモードである場合、吸水手段を加熱して、吸水手段に保持されている水分を空気中に放出させる。
【発明の効果】
【０００７】
本発明により、静電霧化した液滴を効率的に生成することが可能なヘアドライヤーを提供することができる。
【図面の簡単な説明】
【０００８】
【図１】実施の形態に係るヘアドライヤーの全体斜視図である。
【図２】カートリッジを装着する様子を示す部分拡大図である。
【図３】ハウジングの中央断面の様子を模式的に示す図である。
【図４】実施の形態に係るヘアドライヤーが備える霧化装置の底面図である。
【図５】実施の形態に係るヘアドライヤーが備える霧化装置の背面図である。
【図６】ヘアドライヤーのシステム構成を示すブロック図である。
【図７】実施の形態に係るヘアドライヤーの他の構成例を示す断面図である。
【図８】実施の形態に係るヘアドライヤーの他の構成例を示す断面図である。
【図９】実施の形態に係るヘアドライヤーの他の構成例を示す断面図である。
【発明を実施するための形態】
【０００９】
以下、発明の実施の形態を通じて本発明を説明するが、特許請求の範囲に係る発明を以下の実施の形態に限定するものではない。また、実施の形態で説明する構成の全てが課題を解決するための手段として必須であるとは限らない。
【００１０】
図１は、本実施の形態に係るヘアドライヤー１００の全体斜視図である。ヘアドライヤー１００は、主に、温風や冷風を発生させる本体ユニット１１０と、ユーザが把持するグリップユニット１８０と、を備える。ヘアドライヤー１００は、ＡＣ電源から供給される電力によって、熱や空気流を発生させる。
【００１１】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吐き出す空気流が少ない第２吹出口１１４とによって構成されている。なお、以降の説明においては、吸入口１１１側を上流側と称し、吹出口１１２側を下流側と称する。
【００１２】
本体ユニット１１０は、グリップユニット１８０と接続する端部を有する。当該端部近傍には、トグル式のモードスイッチ１１５が設けられている。モードスイッチ１１５は、吹き出す空気流に美容成分を放出させる美容モードと放出させない非美容モードとを切り替える。ユーザは、モードスイッチ１１５を操作して希望するモードに切り替える。
【００１３】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１４】
ユーザがモードスイッチ１１５を操作して美容モードに切り替えると、美容成分が混入した空気流が第２吹出口１１４から吹き出される。美容成分は、美容成分保持部材としてのカートリッジ１４０に吸着保持されている。カートリッジ１４０は、本体ユニット１１０に対して交換可能に装着される。すなわち、美容成分を放出し尽くしたカートリッジ１４０は、新たなカートリッジ１４０に取り替えられる。これにより、ヘアドライヤー１００は、美容成分の放散を継続的に維持することができる。図２は、本体ユニット１１０がカートリッジ１４０を装着する様子を示す部分拡大図である。
【００１５】
ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１４０の交換時に収容蓋１１７の他端側を持ち上げて開口部を開く。開口部の奥には装着部１１８が設けられており、ユーザはカートリッジ１４０を装着部１１８へ装着することができる。カートリッジ１４０を装着して収容蓋１１７を閉じれば、ユーザは、ヘアドライヤー１００の美容モードを機能させることができる。なお、カートリッジ１４０が装着されていない状態ではモードスイッチ１１５を美容モードに切り替えられないように、モードスイッチ１１５にロック機構を設けても良い。
【００１６】
図３は、図１の座標系で示すｘｚ平面と平行な断面で切断した、ハウジング１１６の中央断面の様子を模式的に示す図である。図は、主要な構成要素に限って表している。具体的には、ハウジング１１６内に配設されたヒータ１２１、モータ１２２、ファン１２３、霧化装置１３０と、装着部１１８に装着されたカートリッジ１４０、及び吸水手段１５０を表している。
【００１７】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００１８】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１とに分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を温める。また、空気流Ｂ１は、吸水手段１５０、霧化装置１３０、及びカートリッジ１４０を通過して第２吹出口１１４へと向かう。
【００１９】
霧化装置１３０は、空気流Ｂ１の流路中に配設されている。霧化装置１３０は、周辺空気に含まれる水分を結露させ、結露した水分をミスト化（霧化）して空気流Ｂ１に付与する装置である。すなわち、霧化装置１３０は、空気中の水分を凝縮してミスト（霧化された液滴）を生成する装置であり、本実施の形態においては、直径が十〜数百ナノメートルの液滴を生成する。
【００２０】
図３に示す断面図に加えて、図４に示す底面図（つまり、霧化装置１３０をｚ軸方向のマイナス側から見た図）、及び図５に示す背面図（つまり、霧化装置１３０をｘ軸方向のマイナス側から見た図）を用いて、霧化装置１３０の構成について説明する。霧化装置１３０は、主に、ペルチェ素子１３１、冷却板１３２、金属板１３３、放電電極１３４、及び放熱手段１３５を含む。ペルチェ素子１３１の吸熱面側には導電性の冷却板１３２が貼り合わされており、冷却板１３２は、ペルチェ素子１３１によって冷却される（図３参照）。冷却板１３２のうち空気流と触れる側の面である結露面は、空気中に含まれる水分を結露させ、液滴が付着する。すなわち、冷却板１３２は、ペルチェ素子１３１と協働して結露部として機能する。また、冷却板１３２は、放電電極１３４に対して対向電極として機能する。このため、冷却板１３２は接地電位に接続されている。例えば、冷却板１３２はステンレス材料を用いて構成することができる。
【００２１】
ペルチェ素子１３１の発熱面側には金属板１３３が設けられている。例えば、金属板１３３はステンレス材料を用いて構成することができる。金属板１３３には、放熱のための放熱手段１３５が貼り合わされている（図３参照）。つまり、ペルチェ素子１３１の発熱面側で発生した熱は、金属板１３３を介して放熱手段１３５に伝わり、放熱手段１３５から放出される。放熱手段１３５から放出された熱は、空気流Ｂ１の一部に乗って第２吹出口１１４から外部に吐き出される。図３、図４に示すように、放熱手段１３５は、ペルチェ素子１３１の発熱面から空気流Ｂ１の上流側に向かって伸びるように設けられている。また、図５に示すように、放熱手段１３５には放熱を促進させるための放熱フィン１３９を設けてもよい。放熱手段１３５および放熱フィン１３９は、熱伝導率の高い材料を用いて構成することが好ましく、例えば、銅やステンレス材料等の金属材料を用いて構成することができる。
【００２２】
放電電極１３４は、後述する電極回路に接続されており、冷却板１３２を接地電極として放電が発生するように、冷却板１３２から所定量離間して配置されている。放電電極１３４に高圧の負パルスが印加されると、放電電極１３４の先端部と冷却板１３２との間で放電が起こり、冷却板１３２の結露面に結露していた結露水が、レイリー分裂により、マイナスイオンに帯電したミストとなって飛散する。すなわち、霧化装置１３０は、マイナスイオンに帯電したミスト（静電霧化した液滴）を、空気流Ｂ１に付与する。
【００２３】
なお、霧化装置１３０のうち、結露部は直接的に空気流Ｂ１の流路中に配設されていなくても良い。結露面で結露した結露水が放電によりミスト化した場合に、当該ミストが空気流Ｂ１に誘引されるのであれば、空気流Ｂ１に直接晒されない箇所に配設することも可能である。結露面が直接的に空気流Ｂ１に晒されないのであれば、比較的大きな結露水を生成することも可能であり、放電によって生成するミストの大きさをコントロールしやすい。
【００２４】
また、本実施の形態に係るヘアドライヤー１００は、ハウジング１１６の内部に吸水手段１５０を備える。吸水手段１５０の詳細については後述する。
【００２５】
図３に示すように、カートリッジ１４０は、霧化装置１３０よりも下流側に設けられた装着部１１８に装着されている。マイナスイオンに帯電したミストがカートリッジ１４０の内部を通過すると、カートリッジ１４０に吸着保持された美容成分がミストに溶出し、第２吹出口１１４から吐出される空気流Ｂ１は、当該美容成分を適度に含んだ状態でユーザの毛髪へ到達する。
【００２６】
カートリッジ１４０に吸着保持する美容成分は、例えば保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを含むことが好ましい。
【００２７】
また、例えばコラーゲンなどに担持させるなどの態様により、金属微粒子を美容成分として採用することもできる。美容成分となり得る金属としては、金、銀、銅、白金、亜鉛、チタンが候補として挙げられる。このような金属微粒子は、毛髪に付着して抗菌作用や抗酸化作用を生じさせることができる。特に白金の微粒子は、抗酸化作用が極めて高いことが知られており、美容成分として採用すると良い。
【００２８】
図６は、ヘアドライヤー１００のシステム構成図である。ヘアドライヤー１００は、例えばマイクロプロセッサで構成された制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３および電極回路１９４である。
【００２９】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３０】
ペルチェ回路１９３は、ペルチェ素子１３１を駆動して吸熱面から発熱面へ熱移動させる回路である。制御部１９０は、モードスイッチ１１５が美容モードに設定されているときに、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、モードスイッチ１１５が美容モードに設定されているときに、電極回路１９４が機能するように制御する。
【００３１】
つまり、モードスイッチ１１５が美容モードに設定されているときに、霧化装置１３０が液滴を生成するモードになる。したがって、モードスイッチ１１５は、霧化装置１３０が液滴を生成するモードと生成しないモードとを切り替える切替部に対応している。
【００３２】
次に、本実施の形態に係るヘアドライヤー１００が備える吸水手段１５０について詳細に説明する。図３に示すように、吸水手段１５０は、ヘアドライヤー１００のハウジング１１６の内部に設けられている。吸水手段１５０は、常温において空気中の水分を吸収すると共に、加熱された際に保持している水分を空気中に放出することができる材料で構成されている。吸水手段１５０は、ヘアドライヤー１００が使用されていない状態（例えばヘアドライヤー１００が収納されている状態）のときに、空気中の水分を吸収する。
【００３３】
図３〜図５に示すように、霧化装置１３０の結露面（つまり、冷却板１３２の表面）および吸水手段１５０は、一つの囲まれた空間に配置されている。よって、霧化装置１３０が液滴を生成するモードのときに、加熱手段を用いて吸水手段１５０を加熱して吸水手段１５０から空気中に水分を放出させることで、霧化装置１３０の近傍の湿度を上昇させることができる。これにより、霧化装置１３０の結露面における液滴の生成を促進させることができる。
【００３４】
図３〜図５に示す例では、吸水手段１５０は、ペルチェ素子１３１の発熱面に設けられた放熱手段１３５に取り付けられている。霧化装置１３０が液滴を生成するモードである場合、ペルチェ素子１３１の発熱面から放熱手段１３５に熱が伝わり放熱手段１３５が高温になる。吸水手段１５０は放熱手段１３５に取り付けられているので、放熱手段１３５から吸水手段１５０に熱が伝わり、吸水手段１５０が加熱される。したがって、霧化装置１３０が液滴を生成するモードのときに、吸水手段１５０から空気中に水分が放出されて、霧化装置１３０の結露面における液滴の生成が促進される。このとき、放熱手段１３５は、吸水手段１５０の加熱手段として機能する。
【００３５】
図３、図４に示すように、吸水手段１５０は、ペルチェ素子１３１に対して空気流Ｂ１の上流側に設けることが好ましい。吸水手段１５０を空気流Ｂ１の上流側に設けることで、吸水手段１５０から放出された水分を霧化装置１３０の結露面に効率よく供給することができる。
【００３６】
また、図３、図５に示すように、吸水手段１５０は、放熱手段１３５のペルチェ素子１３１側の面（つまり、放熱手段１３５のｚ軸方向マイナス側の面）に設けられていることが好ましい。放熱手段１３５の面のうち、ペルチェ素子１３１が設けられている面と同じ側の面に吸水手段１５０を設けることで、吸水手段１５０から放出された水分を霧化装置１３０の結露面に効率よく供給することができる。
【００３７】
吸水手段１５０を構成する材料は、常温において水分を吸収し、加熱された際に水分を放出する材料であれば特に限定されることはない。例えば、吸水手段１５０は乾燥剤を用いて構成することができる。吸水手段１５０に用いる乾燥剤としては、シリカゲル、シリカアルミナゲル、ゼオライト、塩化カルシウム、酸化カルシウム、塩化マグネシウム及び酸化マグネシウムからなる群より選ばれる１種又は２種以上の材料を用いることができる。
【００３８】
また、吸水手段１５０は、多孔質ハニカム構造体を用いて構成してもよい。例えば、多孔質シリカ被膜を用いたペーパーハニカム構造体を用いることで、吸水手段１５０の吸水性を向上させることができる。また、吸水手段１５０は、多孔質セラミックスを用いて構成してもよい。例えば、多孔質セラミックスの材料としてはアルミナを用いることができる。
【００３９】
これら以外の材料であっても、多孔質構造を備える材料であれば、常温において水分を吸収し、加熱された際に水分を放出することが期待される。例えば、竹活性炭フィルタ等の活性炭を用いて吸水手段１５０を構成してもよい。
【００４０】
また、上記では主に無機材料を用いて吸水手段１５０を構成する場合について説明したが、吸水性を備える高分子材料を用いて吸水手段１５０を構成してもよい。
【００４１】
なお、冬場のような特に湿度が低い環境下では、ユーザが吸水手段１５０に手動で水分を供給するようにしてもよい。この場合は、ハウジング１１６の外部から吸水手段１５０に水分を供給するための供給手段を別途設ける必要がある。
【００４２】
上述したように、特許文献１に開示されている技術では、吸熱面において空気中の水分を結露させることで結露水を生成していた。しかしながら、空気中の水分が少ない場合には、十分な量の結露水を得ることができないため、霧化装置を用いて静電霧化した液滴を十分に生成することができないという問題があった。
【００４３】
これに対して本実施の形態に係るヘアドライヤー１００では、ヘアドライヤー１００のハウジング１１６の内部に、空気中の水分を吸収することができる吸水手段１５０を設けている。そして、霧化装置１３０が液滴を生成するモードであるときに、加熱手段を用いて吸水手段１５０を加熱して、吸水手段１５０に保持されている水分を空気中に放出している。よって、霧化装置１３０の近傍の湿度を上昇させることができるので、霧化装置１３０の結露面における液滴の生成を促進させることができる。したがって、静電霧化した液滴を効率的に生成することが可能なヘアドライヤーを提供することができる。
【００４４】
次に、本実施の形態に係るヘアドライヤーの他の構成例について、図７〜図９を用いて説明する。なお、図７〜図９では、図３に示した構成要素と同一の構成要素には同一の符号を付している。
【００４５】
図７に示す構成例では、霧化装置１３０ａの放熱手段１３６の上面に吸水手段１５１を配置している。例えば、放熱手段１３６は金属板を用いて構成されており、吸水手段１５１は放熱手段１３６の上面に取り付けられている。図７に示す構成例では、放熱手段１３６の上面に吸水手段１５１を配置しているので、霧化装置１３０ａと吸水手段１５１とを備えるユニットを小型化することができる。図７に示す構成例では、図５に示した放熱フィン１３９を省略している。よって、放熱手段１３６の放熱を促進させるために、吸水手段１５１には熱伝導率の高い材料を用いることが好ましい。
【００４６】
図８に示す構成例では、霧化装置１３０ｂの放熱手段１３７に吸水手段を設けるのではなく、霧化装置１３０ｂと分離して吸水手段１５２を配置している。吸水手段１５２は、霧化装置１３０ｂに対して空気流Ｂ１の上流側に設けられている。また、吸水手段１５２を加熱するための加熱手段として、ヒータ１６０を設けている。図８に示す構成例では、ヒータ１６０の底面に吸水手段１５２を設けている構成を示しているが、ヒータ１６０の上面に吸水手段１５２を設けるようにしてもよい。
【００４７】
ヒータ１６０は、霧化装置１３０ｂが液滴を生成するモードである場合、吸水手段１５２を加熱して、吸水手段１５２に保持されている水分を空気中に放出させる。図８に示す構成例ではヒータ１６０を別途設ける必要があるが、図３のように霧化装置１３０の放熱手段１３５を加熱手段として用いた場合よりも、迅速に吸水手段１５２を加熱することができ、また吸水手段１５２の温度を精度よく制御することができる。
【００４８】
図９に示す構成例では、図８に示した構成例と同様に霧化装置１３０ｂと分離して吸水手段１５３を配置している。この場合も吸水手段１５３は、霧化装置１３０ｂに対して空気流Ｂ１の上流側に設けられている。図９に示す構成例では、加熱手段として別途ヒータを設けるのではなく、空気流Ｂ０を温めるためのヒータ１２１を加熱手段として用いている。
【００４９】
つまり、吸水手段１５３は内壁１１９の上面に設けられており、内壁１１９の下側にはヒータ１２１が設けられている。このため、ヒータ１２１がオン状態になるとヒータ１２１からの熱が内壁１１９を介して吸水手段１５３に伝わり、吸水手段１５３が加熱されて吸水手段１５３に保持されている水分が空気中に放出される。
【００５０】
例えば、吸水手段１５３が設けられている箇所の内壁１１９の材料として熱伝導率の高い材料を用いることで、ヒータ１２１から吸水手段１５３に熱を効率よく伝えることができ、吸水手段１５３から放出される水分の量を増加させることができる。
【００５１】
図９に示す構成例では、加熱手段としてヒータ１２１を用いているので、ヒータ１２１がオン状態のとき、つまりオンオフスイッチ１８１が温風ポジションであるときに、霧化装置１３０ｂがオン状態になるように構成することが好ましい。
【００５２】
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。例えば、本実施の形態に係るヘアドライヤー１００は、放電電極１３４に負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、放電電極１３４に印加するパルスの極性を変化させることにより、マイナスイオンとプラスイオンをシーケンシャルに発生させても良い。また、放電電極１３４を複数設けて、プラスイオンとマイナスイオンを同時に発生させるようにしても良い。
【符号の説明】
【００５３】
１００  ヘアドライヤー、１１０  本体ユニット、１１１  吸入口、１１２  吹出口、１１３  第１吹出口、１１４  第２吹出口、１１５  モードスイッチ、１１６  ハウジング、１１７  収容蓋、１１８  装着部、１１９  内壁、１２１  ヒータ、１２２  モータ、１２３  ファン、１３０、１３０ａ、１３０ｂ  霧化装置、１３１  ペルチェ素子、１３２  冷却板、１３３  金属板、１３５、１３６、１３７  放熱手段、１３４  放電電極、１３９  放熱フィン、１４０  カートリッジ、１５０、１５１、１５２、１５３  吸水手段、１６０  ヒータ、１８０  グリップユニット、１８１  オンオフスイッチ、１９０  制御部、１９１  ヒータ回路、１９２  モータ回路、１９３  ペルチェ回路、１９４  電極回路
【図１】
2019111157.tif 000003
【図２】
2019111157.tif 000004
【図３】
2019111157.tif 000005
【図４】
2019111157.tif 000006
【図５】
2019111157.tif 000007
【図６】
2019111157.tif 000008
【図７】
2019111157.tif 000009
【図８】
2019111157.tif 000010
【図９】
2019111157.tif 000011